(57)【要約】  本発明はＴＶ番組を記憶および再生する方法およびＰＶＲサーバに関する。殊に本発明はネットワークＰＶＲの動作に関して改善された方法および改善されたＰＶＲサーバ（１０２）を提供する。本発明によれば、ＰＶＲサーバ（１０２）のメモリ（１０８）に記憶されている、所定の録画されたＴＶ番組を個人的なアーカイブに保存するユーザの数が求められる。ユーザの数が所定の限界値を下回ると、これらのユーザに消去指示が表示され、これらのユーザのいずれもコンフィギュレート可能な期間内に番組をさらに保存しようとしない場合にはこの番組が消去される。
2008535346.tif 000002
【特許請求の範囲】
【請求項１】
ＴＶ番組を記憶および再生するＰＶＲサーバ（１０２）において、
−ディジタル符号化されたＴＶチャネルを受信する手段を有し、
−複数の端末装置（１０４）を管理する手段を有し、該端末装置（１０４）は録画すべきＴＶ番組を選択する手段（１０６）と、選択をＰＶＲサーバ（１０２）に伝送する手段とを有し、
−録画すべきＴＶ番組を録画された番組として記憶する記憶手段（１０８）を有し、
−録画された全ての番組に関して、この録画された番組が前記端末装置（１０４）のうちのどの端末装置に対して前記記憶手段（１０８）において保存されるかを表すインデクスを記憶するデータバンク（１３０）と接続する手段を有し、
−録画された番組を前記記憶手段（１０８）に保存する端末装置（１０４）の数を求める手段を有し、
−前記録画された番組が小さい絶対数の端末装置（１０４）のためにのみ保存される場合、および／または、前記録画された番組が、該録画された番組を録画のために選択した端末装置（１０４）の総数に関して僅かなパーセンテージの端末装置（１０４）のためにのみ保存される場合に、録画された番組を前記記憶手段（１０８）に保存する端末装置（１０４）に表示される消去指示を形成する手段を有し、
−コンフィギュレート可能な期間内に、前記消去指示が表示されたいずれの端末装置（１０４）も前記録画された番組のさらなる保存を要求しなかった場合に録画された番組を消去する手段を有することを特徴とする、ＰＶＲサーバ（１０２）。
【請求項２】
前記録画された番組のさらなる保存を前記コンフィギュレート可能な期間内に要求しなかったまたは拒否した端末装置（１０４）を前記インデクスから除去する手段を有する、請求項１記載のＰＶＲサーバ（１０２）。
【請求項３】
決算システムと接続する手段と、録画された番組のさらなる保存を要求した端末装置（１０４）のための該録画された番組のさらなる保存に関して課金を実施する手段とを有する、請求項１または２記載のＰＶＲサーバ（１０２）。
【請求項４】
ＴＶ番組を記憶および再生する方法において、
−ディジタル符号化されたＴＶチャネルを受信するステップを有し、
−録画すべきＴＶ番組を端末装置（１０４）によって選択するステップを有し、
−録画すべきＴＶ番組を録画された番組としてＰＶＲサーバ（１０２）の記憶手段（１０８）に記憶するステップを有し、
−録画された全ての番組に関して、録画された番組が前記端末装置（１０４）のうちのどの端末装置に対して前記記憶手段（１０８）に保存されるかを表すインデクスを記憶するステップを有し、
−録画された番組を記憶手段（１０８）に保存する端末装置（１０４）の数を求めるステップを有し、
−前記録画された番組が小さい絶対数の端末装置（１０４）のためにのみ保存される場合、および／または、前記録画された番組が、該録画された番組を録画のために選択した端末装置（１０４）の総数に関して僅かなパーセンテージの端末装置（１０４）のためにのみ保存される場合に、録画した番組を前記記憶手段（１０８）に保存する端末装置（１０４）に表示される消去指示を形成するステップを有し、
−コンフィギュレート可能な期間内に、消去指示が表示されたいずれの端末装置（１０４）も前記録画された番組のさらなる保存を要求しなかった場合に録画された番組を消去するステップを有することを特徴とする、ＴＶ番組を記憶および再生する方法。
【請求項５】
前記録画された番組のさらなる保存を前記コンフィギュレート可能な期間内に要求しなかったまたは拒否した端末装置（１０４）を前記インデクスから除去する、請求項４記載の方法。
【請求項６】
録画された番組のさらなる保存を要求した端末装置（１０４）のための該録画された番組のさらなる保存に関して課金を実施する、請求項４または５記載の方法。
【発明の詳細な説明】
【技術分野】
【０００１】
本発明は、ＴＶ番組を記憶および再生する方法とＰＶＲサーバに関する。
【０００２】
殊に、本発明はネットワークＰＶＲの動作に関して改善された方法および改善されたＰＶＲサーバに関する。
【０００３】
テープを基礎とするアナログ式のビデオ録画装置は何十年にわたり、家庭のユーザにとってはアンテナテレビ放送、ケーブルテレビ放送または衛星テレビ放送を介して放送される番組を録画し、手軽に保存するための唯一の可能性であったが、より高速でそれと同時に廉価なビデオプロセッサを使用できるようになり、また数年来ＭＰＥＧ２（１９９４年）やＭＰＥＧ４（１９９８年）のような性能の良いビデオコーデックが使用できるようになると、単なるビデオ録画の他に便利な一連の機能を提供する、大部分がハードディスクを基礎とする一連のディジタル装置が誕生した。
【０００４】
この新たな世代の装置はしばしばパーソナルビデオレコーダ（ＰＶＲ）と称され、また時にはディジタルビデオレコーダ（ＤＶＲ）とも称される。この最新の装置はもちろん以前の装置のように番組の簡単な録画および後の再生のために使用することができるが、この装置の機能は以前のそれをさらに上回るものである。ＰＶＲの頻繁に使用される特徴の１つはいわゆるタイムシフト放送であり、このタイムシフト放送においてはユーザが番組を録画しながら番組の再生を既に開始することができる。現在のＰＶＲの高性能のハードウェアにより、達成される画像品質は従来のＶＨＳまたはＳＶＨＳのテープ式の記録装置のものよりも良い。
【０００５】
タイムシフト放送によりユーザは例えば電話に出るために差し当たりライブで見ている番組を「一時停止し」、また後の時点において再生を再開することができ、ユーザにはあたかもユーザが実際にライブ放送を一時停止して、後に再開されたかのように表示される。しかしながら背景ではユーザが「一時停止」ボタンを押すことにより、ＰＶＲに放送されている番組を録画することが指示され、「一時停止」ボタンを再び押すことによって、録画した番組が一方ではさらに録画されながら、他方では既に再生される。
【０００６】
最短の遅延で録画した番組における比較的長いセクションをスキップすることができるＰＶＲの機能も非常に好まれている。この機能は、録画した番組に含まれているコマーシャルブロックをスキップするために頻繁に使用される。例えば番組の開始に関連する時点としてコマーシャルブロックの開始と終了が録画した番組についてのインデクスとして記憶されることにより、コマーシャルブロックの境界の発見を容易にする一連のサービスをこの機能が提供し、これにより再生時にコマーシャルの自動的なスキップが実現される。
【０００７】
特別に適合されたエンターテイメント用電子機器の他に、適切なソフトウェアを有するマルチメディア機能を備えたＰＣ（ホームシアターＰＣ，ＨＴＰＣとして公知である）もＰＶＲとしてますます使用されてきている。特別なＰＶＲとＰＣＰＶＲは技術的に殆ど相違せず、これらのＰＶＲはいずれも大容量の（ディスク）メモリ、十分な処理能力および適切なビデオコーデックを有する。
【０００８】
これらのプラットフォームのヴァリエーションはコンフィギュレート可能なソフトウェアないしファームウェアによって、ユーザにさらなる機能、例えばテーマ毎にユーザの好みの番組に合致する番組をサーチする機能を提供することができる。またいずれのプラットフォームのヴァリエーションも録画が局所的にユーザのもとで行われ、また録画可能な番組の量が局所的なハードディスクメモリによって制限されているという点で共通している。したがって、録画した番組を装置の内部メモリから書き込み可能な媒体、例えば（再）書き込み可能なＣＤまたはＤＶＤに移すことが頻繁に行われる。しかしながらこれは手間がかかり、また殊にＰＶＲの値段も高い。またＰＶＲには複数の番組を並行して録画するためにＰＶＲも複数必要とされるという問題が生じる。高価なマルチチューナ型の装置でもこの問題を条件付きでしか解決できない。何故ならば常にＴＶ局よりも少ないチューナしか設けられておらず、さらには１つのチャネルにとっては十分な性能を有するＰＶＲのハードウェアも、複数のチャネルを並行して録画する際に限界に達するからである。
【０００９】
ユーザがＰＶＲに対して投資を行う必要なく、ユーザにＰＶＲの全ての利点を提供できるようにするために、インターネットページhttp://www.ncube.com/pressroom/downloads/nvpr-whitepaper.pdfから入手できる白書「Network PVR: Everything on Demand」、Jay Schiller、nCube Corporationにおいては、メモリ、符号化ロジックおよびコーデックがプロバイダーによってケーブルネットワーク内に提供されることが提案されている。ユーザは記憶する番組を選択し、また記憶した番組を呼び出すことができる装置を入手し、その番組はそれ以降ブロードバンドコネクションによりリアルタイムでユーザに伝送される。その種の装置はＰＶＲまたはＨＴＰＣに比べても実質的に僅かに性能が劣る程度である。同時にユーザは実質的に無限のメモリスペースを中央のＰＶＲサーバ上に借りることができ、他方ではＰＶＲサーバのオペレータは各番組のコピーを提供するだけでよく、そのコピーが必要に応じてユーザに配布され、ユーザはその番組をユーザの（仮想の）メモリに格納する。
【００１０】
発展に伴いその種のネットワークＰＶＲを、ユーザによるネットワークＰＶＲの「プログラミング」が省略され、その代わりにユーザは例えば最近の４週間のユーザのプログラム組合せにおける全ての番組にアクセスするよう構成することができるようになった。
【００１１】
本発明の課題は、ネットワークＰＶＲのプロバイダーのもとで中央において供給されるメモリスペースの改善された管理を実現する、ＴＶ番組を記憶および再生する方法とＰＶＲサーバを提供することである。この課題は、ＴＶ番組を記憶および再生するＰＶＲサーバによって解決され、このＰＶＲサーバは、
−ディジタル符号化されたＴＶチャネルを受信する手段を有し、
−複数の端末装置を管理する手段を有し、この端末装置は録画すべきＴＶ番組を選択する手段と、選択をＰＶＲサーバに伝送する手段とを有し、
−録画すべきＴＶ番組を録画された番組として記憶する記憶手段を有し、
−録画された全ての番組に関して、録画された番組が端末装置のうちのどの端末装置に対して記憶手段において保存されるかを表すインデクスを記憶するデータバンクと接続する手段を有し、
−録画された番組を記憶手段に保存する端末装置の数を求める手段を有し、
−録画された番組が小さい絶対数の端末装置のためにのみ保存される場合、または録画された番組が、この録画された番組を録画のために選択した端末装置の総数に関して僅かなパーセンテージの端末装置のためにのみ保存される場合に、録画した番組を記憶手段に保存する端末装置に表示される消去指示を形成する手段を有し、
−コンフィギュレート可能な期間内に、消去指示が表示されたいずれの端末装置も録画された番組のさらなる保存を要求しなかった場合に録画された番組を消去する手段を有する。
【００１２】
さらに本発明は、ＴＶ番組を記憶および再生する方法に関し、この方法は、
−ディジタル符号化されたＴＶチャネルを受信するステップを有し、
−録画すべきＴＶ番組を端末装置によって選択するステップを有し、
−録画すべきＴＶ番組を録画された番組としてＰＶＲサーバの記憶手段に記憶するステップを有し、
−録画された全ての番組に関して、録画された番組が前記端末装置のうちのどの端末装置に対して記憶手段に保存されるかを表すインデクスを記憶するステップを有し、
−録画された番組を記憶手段に保存する端末装置の数を求めるステップを有し、
−録画された番組が小さい絶対数の端末装置のためにのみ保存される場合、または録画された番組が、この録画された番組を録画のために選択した端末装置の総数に関して僅かなパーセンテージの端末装置のためにのみ保存される場合に、録画した番組を記憶手段に保存する端末装置に表示される消去指示を形成するステップを有し、
−コンフィギュレート可能な期間内に、消去指示が表示されたいずれの端末装置も録画された番組のさらなる保存を要求しなかった場合に録画された番組を消去するステップを有する。
【００１３】
本発明の有利な実施形態においては、録画した番組のさらなる保存をコンフィギュレート可能な期間内に要求しなかったまたは拒否した端末装置（１０４）をインデクスから除去することができる。
【００１４】
別の実施形態においては、ＰＶＲサーバを決算システムと接続することができるか、決算システムをＰＶＲサーバに組み込むことができ、録画された番組のさらなる保存を要求した端末装置のためのこの録画された番組のさらなる保存に関して、この端末装置のユーザに別個の課金を実施することができる。
【００１５】
本発明によれば有利には、録画された番組によって占有されているメモリスペースを以下の条件が満たされたときに解放することができる：すなわち、まだ少数のユーザが番組を仮想の個人的なアーカイブ内に有しており、これらのユーザが自身の端末装置に表示されたこの番組に関する消去指示にコンフィギュレート可能な期間（例えば１０日）以内に応答しないか、これを拒否する場合にメモリスペースの解放が行われる。判定基準「少数のユーザ」をネットワークＰＶＲのユーザ、（例えば全部で１００００人のシステムユーザのうちの）例えば１００人のユーザの絶対数として規定することができ、しかもどれ程の数のユーザが本来的に番組を録画のために選択したかに依存せずに規定することができる。もしくは、考察の時点において録画されている番組を依然として仮想のアーカイブ内に有しているユーザのパーセンテージが考察され、しかもこの番組を本来的にアーカイブ内に有していたユーザの数に関して考察される。（例えば全部で１００００人のシステムユーザのうちの）例えば１０００人のユーザがある番組を録画のために選択したが、９００人のユーザがこの番組を仮想のアーカイブから既に再び除去している場合には、残りの１００人のユーザがこの番組を本来的にアーカイブ内に有していたユーザの１０％に該当する。両方の限界値を組み合わせることもできる。
【００１６】
ＰＶＲサーバのプロバイダーはこれらの限界値を、保存される番組によって占有される平均的なメモリ容量が所定の値を上回らず、したがって記憶されている素材の最適な管理が達成されるように、別個にまたは組み合わせてコンフィギュレートすることができる。
【００１７】
以下では図面を参照しながら本発明の有利な実施例を詳細に説明する。
【００１８】
唯一の図面はネットワークＰＶＲないしＰＶＲサーバ１０２およびこのＰＶＲサーバ１０２により管理される端末装置１０４Ａ〜１０４Ｎを有する装置１００を示す。ＰＶＲサーバ１０２はエンコーダ１２０からディジタル符号化されたＴＶチャネルを受信する。エンコーダはやはりＴＶチャネルを受信器１２２から受信し、この受信器１２２は地上アンテナ１２４および／または衛星アンテナ１２６および／またはＴＶケーブル１２８を介して適切なＴＶ信号を受信する。エンコーダ１２０および受信器１２２を１つの装置として構成することができる。エンコーダ１２０は、差し当たりアナログ形態で存在するＴＶ信号を効率的なディジタル形態のデータフォーマットに変換するために、例えばＭＰＥＧ２またはＭＰＥＧ４のようなコーデックまたはそれらから派生したコーデックを使用する。ＴＶチャネルが既にディジタルデータストリーム、例えばディジタルビデオブロードキャストＤＶＢ（地上波の場合はＤＶＢ−Ｔ、ケーブルを介する場合はＤＶＢ−Ｃまたは衛星を介する場合はＤＶＢ−Ｓとして受信される）として存在する場合には、エンコーダ１２０はこのデータストリームを変更することなくＰＶＲサーバ１０２に転送するか、転送の前に例えばデータストリームの帯域幅を端末装置１０４へのコネクションの帯域幅に適合させることによって修正する。  ＰＶＲサーバ１０２は大容量メモリ１０８、例えばハードディスクアレイないしＨＤＤアレイと接続されている。技術的に、個々のハードディスクの故障時にその故障にもかかわらず記憶されているデータを完全に供給することができる冗長的な大容量メモリアレイをハードディスクから構成する複数の方法が公知である。その種の冗長的なアレイ、例えば独立したハードディスクからなる冗長的なアレイ（ＲＡＩＤ）の使用は本発明との関連において有利である。何故ならば、ＰＶＲサーバ１０２およびこのＰＶＲサーバ１０２に接続されている大容量メモリ１０８は多数のユーザのＴＶ録画のデータの全てのデータを記憶するからである。
【００１９】
ユーザ端末装置１０４は例えばＴＶケーブルネットワークまたはＤＳＬコネクションを介してＰＶＲサーバ１０２と接続されている。現在のコーデックは少なくとも数１００ｋｂｉｔ／ｓ以上の伝送レートを有する許容可能なビデオ品質を許容する。ＤＳＬコネクションを介して技術的に実現される数Ｍｂｉｔ／ｓの帯域幅により、（ユーザの家庭における種々の再生装置のための）２つまたはそれ以上の並行したビデオストリームまたは高品質の単一のビデオストリームが考えられる。
【００２０】
端末装置１０４はローカルメモリ１１０と共に構成されているか、ローカルメモリ１１０と接続されており、このローカルメモリ１１０を例えば従来のハードディスクおよび／またはフラッシュメモリおよび／またはＲＡＭとして構成することができる。もちろん、フラッシュメモリカード形式の小型ハードディスクのような特殊な形態も考えられる。フラッシュメモリは給電電圧の印加に依存せずにデータを記憶することができ、それと同時にフラッシュメモリは回転部分または他の機械的部分を有していないので静音の端末装置１０４を実現することができるという利点を有する。
【００２１】
メモリ１１０を固定的に端末装置１０４と接続することができるか、交換可能に構成することができる。冗長性および故障に対する安全性に関して端末装置１０４のメモリ１１０に課される要求は大容量メモリ１０８のものよりも少ない。端末装置のメモリ１１０を、ユーザの好みおよび他の調整が中央においてＰＶＲサーバ１０２により管理されない場合にはそれらを記憶するために使用することができる。
【００２２】
端末装置ないしＣＰＥ１０４は画像再生装置１１６に接続されるセットトップボックスでよい。択一的に端末装置１０４を画像再生装置１１６に組み込むことができる。画像再生装置１１６は従来のテレビ受像機でよい。択一的に画像再生装置１１６はそれ自体ＴＶチューナを有していないモニタであってもよい。端末装置１０４はユーザインタフェース１０６を有し、このユーザインタフェース１０６はユーザによって、例えば録画されたＴＶ番組のユーザの個人的で仮想的なアーカイブ、必要に応じて個人的なＴＶプログラムおよび他の個人的な調整を管理するために使用される。このユーザインタフェースを、セットトップボックスの分野においては慣例であるように、ユーザが遠隔操作により入力を行い、画像再生装置１１６を介する出力が行われるように実現することができる。
【００２３】
ＴＶ番組の録画に関連するユーザの入力はＰＶＲサーバ１０２に送信され、このＰＶＲサーバ１０２は受信したデータから、録画すべき（１つまたは複数の）ＴＶ番組を特徴付けるデータセットを形成する。スケジューラを用いて相応のＴＶ番組が録画される。データバンク、例えばユーザデータバンクはユーザによる録画が予定されている番組を管理し、ユーザの権限、例えばユーザは相応のＴＶチャネルと契約しているか否かを検査する。ＴＶ番組が放送されると、ＰＶＲサーバ１０２はデータバンクと共同して、ユーザ（ただ１人のユーザで十分である）がこの番組の録画を予定しているか否かを検査する。検査の結果が肯定の場合には録画が行われる。録画時に生じるデータをＰＶＲサーバのメモリ１０８に完全に記憶することができるか、データを局部的な部分と主要な部分に分割し、相応に端末装置１０４のメモリ１１０または大容量メモリ１０８に記憶することができる。複数の端末装置１０４において番組が録画のためにプログラミングされている場合には、共通のコピーが設けられ、この共通のコピーはＰＶＲサーバ１０２のメモリ１０８に記憶される。続いてデータバンク１３０には、番組の録画を予定した各端末装置に関して、共通のコピーについてのアドレッシング情報、例えばデータファイル名またはその他のインデクス情報が格納される。その種のユーザに関連するエントリはメタデータの形で番組についてのさらなる情報、例えば有効期限または場合によっては存在するコマーシャルブロックの位置を包含することができる。そのようにして形成されたインデクスにより、どの端末装置が所定の番組にアクセスすることができるか、すなわちどのユーザのアーカイブに所定の番組が存在するかも確認することができる。
【００２４】
ユーザが使用可能な番組のアーカイブを端末装置１０４におけるユーザインタフェース１０６を用いて要求することにより再生が行われ、このアーカイブはユーザインタフェースを用いた表示のため、例えばディスプレイ１１６上の表示のためにデータバンク１３０から端末装置１０４に送信される。アーカイブからユーザは録画を選択することができ、また相応の入力により再生を開始することができる。端末装置はこの要求をＰＶＲサーバ１０２に送信し、このＰＶＲサーバ１０２はデータバンク１３０を用いてメモリ１０８内の相応のビデオデータを捜し出し、そのビデオデータをビデオストリームとして相応の端末装置１０４に送信する。
【００２５】
ユーザのアーカイブを管理する際に、ユーザはユーザインタフェース１０６を用いてユーザのアーカイブから番組を消去することもできる。その種の消去プロセスにより先ずデータバンク１３０においてはユーザに対応付けられているデータセットから「消去された」番組についての参照が除去され、これによりこの番組はユーザのアーカイブにそれ以降表示されず、ユーザはこの番組を端末装置１０４にを用いて再生することができなくなる。メモリ１０８における実際の画像データの消去を、アーカイブ内に番組を有している最後のユーザがその番組を消去したときのみ行うことができる。それ以外の場合においては録画された番組は保存されなければならず、相応のインデクスないしデータバンクエントリのみが消去される。
【００２６】
本発明によれば、録画された各番組に関してどれ程の数のユーザがその番組をそれらユーザのアーカイブ内に（依然として）有しているかが監視される。第１の限界値Ｎをユーザの絶対数として、例えばＮ＝１００人のユーザとして規定することができる。Ｎよりも少ない数のユーザが所定の番組をアーカイブ内に有している場合、これらのユーザには、ユーザが所定の期間（例えば１０日）以内に明示的にその番組のさらなる保存を要求しない場合には、番組がアーカイブから消去されることを表す消去示唆が示される。ネットワークＰＶＲのプロバイダーは番組のさらなる保存に関して課金することができる。ユーザのうちの少なくとも１人がさらなる保存を決定した場合には番組がさらに保存され、所定時間（例えば４週間）の経過後にさらなる保存が再度希望されるか否かが新たに自動的に問い合せられる。新たな問合せの際に、消去判定基準としての別の限界値Ｎ’＜Ｎを使用することができる。それ以外の場合、すなわちユーザが誰も明示的にさらなる保存を決定しない場合には、所定の期間（１０日）の経過後に番組が残りのユーザのアーカイブから除去され、またメモリ１０８から消去され、これによりメモリを再び番組の録画のために使用することができる。
【００２７】
択一的または付加的に、番組の消去に関する判定基準として、どれ程の数のユーザがそもそもこの番組の録画を予定していたか、また考察の時点においてそのグループのうちのどれ程の数のユーザがこの番組を依然としてユーザの仮想アーカイブ内に保存しているかを監視することができる。第２の限界値を、この番組の録画を本来的に予定していたユーザの数に関して、この番組を依然としてアーカイブ内に保存しているユーザのパーセントとして規定することができる。絶対的なユーザ数を考察する場合とは異なり、所定の番組に関心を持つユーザの数を考慮するこの第２の限界値によって、確かに依然として大きい数の絶対数、しかしながらこの番組をアーカイブ内に有していたユーザの総数に比べて少ない数のユーザが番組をアーカイブ内に保存している場合であっても、残りのユーザに消去の指示を行うことができる。反対にこの第２の限界値によって、絶対的に少ない数のユーザ（例えばＮよりも少ない数のユーザ）しか要求しない番組の場合における分化された制御も実現される。何故ならば、この場合における絶対数のみを評価する場合には消去の指示が録画の直後に行われるからである。番組に関心を持つユーザの数が非常に少ない場合に、パーセンテージ的な第２の限界値に達しないためにこの番組がいつまでもシステム内に存在することを回避するために、非常に低く選定される第１の限界値と組み合わせることによって、パーセント的な判定基準が満たされない場合であっても消去の指示をなすことができる。番組が既に所定の期間、例えば２週間にわたりメモリ１０８内に記憶されると第１の限界値を一度検査することができる。
【００２８】
第１の限界値および／または第２の限界値の監視を番組の録画直後に一度実施し、その後は所定の期間をおいて、例えば２週間毎に実施することができる。択一的に、第１の限界値および／または第２の限界値の１回目の監視を録画後の所定の期間（例えば２週間）の経過後に初めて実施することができる。別の択一形態においては、所定の番組に関してユーザがこの番組をアーカイブから除去する度に検査を行うことができ、付加的に、第１の限界値を基本的に２週間毎に録画した全ての番組について検査することができる。
【００２９】
第１の限界値および／または第２の限界値の監視の実施、ならびにステップの時間的な順序、すなわち録画−限界値のうちの１つの検査また必要に応じた消去指示の表示−必要に応じて変更された限界値を用いたさらなる検査また必要に応じた消去指示の表示をソフトウェアにより行うことができ、このソフトウェアは有利にはＰＶＲサーバ１０２のプログラミング可能な手段（図示せず）において実行され、端末装置１０４、メモリ１０８およびデータバンク１３０を適切に制御し、もしくはそれらに問い合せる。当業者であればその種のソフトウェア手段を本発明の詳細な説明に基づき容易に実現することができる。
【図面の簡単な説明】
【００３０】
【図１】本発明の実施例の概略図。
【図１】
2008535346.tif 000003
【国際調査報告】
2008535346.tif 000004
2008535346.tif 000005
2008535346.tif 000006
2008535346.tif 000007